(57)【要約】【課題】  スラスト玉軸受用保持器をプラスチック製にしながら、玉を確実に保持できるようにして、スラスト軸受の信頼性を一層向上すること。【解決手段】  保持器１のポケット部２の軸方向の開放側に、略径方向向きの爪３が形成してある。これらの爪３は、プラスチック製であり、弾性変形可能であることから、玉１３をポケット部２内に挿入する時には、爪３の弾性を利用して、玉１３をポケット部２に挿入することができる。ポッケット部２に収納した玉１３は、開放側の爪３と、非開放側の玉かかり代（Ｑ）とにより、軸方向両側から支持される。【選択図】  図１
2006077964.tif 000002
【特許請求の範囲】
【請求項１】
環状に配列された複数のポケット部を有するスラスト玉軸受用プラスチック製保持器において、
前記ポケット部の軸方向一側又は両側に、略径方向向きの爪が形成してあることを特徴とするスラスト玉軸受用プラスチック製保持器。
【発明の詳細な説明】
【技術分野】
【０００１】
本発明は、建設機械、農業機械、運搬機械などの産業機械の回転部に使用されるスラスト玉軸受に装着する、スラスト玉軸受用プラスチック製保持器に関する。
【背景技術】
【０００２】
スラスト玉軸受用保持器は、プレス鋼板保持器と金属削り出し保持器が使用されてきた。
【０００３】
スラスト玉軸受は、外輪と内輪が分離しており、保持器に保持する玉を軸方向両側から抱えないと、保持器と玉が分離してしまう。
【０００４】
このようなことから、金属削り出し保持器においては、図５に示したように、ポケット部２の非開放側には、一対の玉かかり代（Ｑ）が形成してあり、これら一対の玉かかり代（Ｑ）の間隔（Ｄ）は、玉（図示略）の径（Ｄａ）より小さく設定してある。
【０００５】
一方、ポケット部２の開放側では、この開放側から玉（図示略）をポケット部２に収納した後、軸方向の開放側の一部を、ポンチ加締め（Ｐ）により加締め、軸方向両側から玉（図示略）を抱いていた。
【０００６】
なお、図５は、従来に係る金属削り出し保持器のポケット部の模式図である。
【特許文献１】特許第２６１４６３９号公報
【発明の開示】
【発明が解決しようとする課題】
【０００７】
上記従来のスラスト玉軸受用金属削り出し保持器は、ポンチ加締め（Ｐ）のように、加締め工程を必要とするため、工程数が多くなる。
【０００８】
また、金属削り出し保持器の材料は、金属製で、多くは、黄銅鋳造材が使用されているため、保持器ポケット部に摩耗が生じ、摩耗粉が軸受内部に侵入して、潤滑不良（軸受のかじり）や剥離など、軸受故障の原因となっている。
【０００９】
上記のようなスラスト玉軸受用保持器を、特許文献１に開示してあるように、プラスチック製保持器にすることで、上述した種々の問題点は、改善することができる。
【００１０】
しかしながら、プラスチック製の場合には、加締めが難しいので、スラスト玉軸受用保持器では、軸受方向両側のポケット部に、玉の落下を防止するような対策が必要である。
【００１１】
本発明は、上述したような事情に鑑みてなされたものであって、スラスト玉軸受用保持器をプラスチック製にしながら、玉を確実に保持できるようにして、スラスト軸受の信頼性を一層向上することができる、スラスト玉軸受用プラスチック製保持器を提供することを目的とする。
【課題を解決するための手段】
【００１２】
上記の目的を達成するため、本発明の請求項１に係るスラスト玉軸受用プラスチック製保持器は、環状に配列された複数のポケット部を有するスラスト玉軸受用プラスチック製保持器において、
前記ポケット部の軸方向一側又は両側に、略径方向向きの爪が形成してあることを特徴とする。
【発明の効果】
【００１３】
本発明によれば、ポケット部の軸方向一側又は両側に、略径方向向きの爪が形成してあることから、スラスト玉軸受用保持器をプラスチック製にしながら、玉を確実に保持できるようにして、スラスト軸受の信頼性を一層向上することができる。
【発明を実施するための最良の形態】
【００１４】
以下、本発明の実施の形態に係るスラスト玉軸受用プラスチック製保持器を図面を参照しつつ説明する。
【００１５】
図１は、本発明の実施の形態に係るスラスト玉軸受と、当該スラスト玉軸受用プラスチック製保持器との断面図である。
【００１６】
図２は、図１に示したスラスト玉軸受用プラスチック製保持器の断面図である。
【００１７】
図３は、図１に示したスラスト玉軸受用プラスチック製保持器の平面図である。
【００１８】
本実施の形態では、スラスト玉軸受１０は、図１に示すように、内輪１１と外輪１２が分離しており、内輪１１の軌道面１１ａと、外輪１２の軌道面１２ａとの間に、玉１３が転動自在に介装してある。
【００１９】
玉１３は、保持器１の円筒状のポケット部２内に抱くように、保持してある。ポケット部２の非開放側には、一対の玉かかり代（Ｑ）が形成してあり、これら一対の玉かかり代（Ｑ）の間隔は、玉１３の径より小さく設定してある。
【００２０】
本実施の形態では、ポケット部２の軸方向の開放側に、略径方向向きの爪３が形成してある。
【００２１】
爪３の個数は、２個以上であり、円周上に等配して形成してある。図３の例では、爪３の個数は、４個であるが、必要に応じてその数を多くしても良い。
【００２２】
また、爪３は、保持器１の成形と同時に、射出成形により形成してあり、爪３の部分は、成形型から、例えば無理抜きにより取り出すようにしてあってもよい。
【００２３】
これらの爪３は、プラスチック製であり、弾性変形可能であることから、玉１３をポケット部２内に挿入する時には、爪３の弾性を利用して、従来のポンチ加締め（Ｐ、図６）によらず、玉１３をポケット部２に挿入（パッチン挿入）することができる。
【００２４】
ポケット部２に収納した玉１３は、開放側の爪３と、非開放側の玉かかり代（Ｑ）とにより、軸方向両側から支持されるため、スラスト玉軸受１０のどちらを上にしても、玉１３がポケット部２から外れることがなく、保持器１と内・外輪１１，１２との接触を防ぐことができる。また、ポケット部２の開放側を爪３付きにすることで、両側突起付き（玉かかり代（Ｑ））よりも、玉１３の抜け性を向上することが出来る。
【００２５】
以上から、本実施の形態では、保持器１をプラスチック製にしながら、玉１３を確実に保持できるようにして、スラスト軸受１０の信頼性を一層向上することができる。
【００２６】
また、従来の金属削り出し保持器に比べ、保持器１をプラスチック製にすることで、コストの低減、軽量化などが期待できる。さらに、潤滑性からも摩耗の低減、摩耗粉による軌道面１１ａ，１２ａの損傷低減などにより、スラスト軸受１０の長寿命化を図ることができる。さらに、従来のポンチ加締め（Ｐ、図６）を不要にできるため、組立て工数削減に寄与することができる。
【００２７】
次に、図４（ａ）（ｂ）は、それぞれ、変形例に係るスラスト玉軸受用プラスチック製保持器の断面図である。
【００２８】
図４（ａ）の変形例では、保持器１のポケット部２は、円筒状に代えて、円錐状に形成してあり、これに対応して、玉かかり代（Ｑ）は、球面に代えて、円錐形状に形成してある。
【００２９】
図４（ｂ）の変形例では、ポケット部２の軸方向の両側に、略径方向向きの爪３が形成してある。
【００３０】
なお、本発明は、上述した実施の形態に限定されず、種々変形可能である。
【図面の簡単な説明】
【００３１】
【図１】本発明の実施の形態に係るスラスト玉軸受と、当該スラスト玉軸受用プラスチック製保持器との断面図である。
【図２】図１に示したスラスト玉軸受用プラスチック製保持器の断面図である。
【図３】図１に示したスラスト玉軸受用プラスチック製保持器の平面図である。
【図４】（ａ）（ｂ）は、それぞれ、変形例に係るスラスト玉軸受用プラスチック製保持器の断面図である。
【図５】従来に係る金属削り出し保持器のポケット部の模式図である。
【符号の説明】
【００３２】
１  保持器
２  ポケット部
３  爪
１０  スラスト軸受
１１  内輪
１１ａ  軌道面
１２  外輪
１２ａ  軌道面
１３  玉
Ｐ  ポンチ加締め
Ｑ  玉かかり代
【図１】
2006077964.tif 000003
【図２】
2006077964.tif 000004
【図３】
2006077964.tif 000005
【図４】
2006077964.tif 000006
【図５】
2006077964.tif 000007